(57)【特許請求の範囲】
【請求項１】
金属配線パターンが形成される基板と、この基板および前記金属配線パターンの間に介在するタンタルの酸化物（ＴａＯｘ）と、前記金属配線パターンを介して液晶物質を駆動する半導体素子とを備えた液晶表示装置であって、
前記半導体素子は、異方性導電接着剤を介して前記基板の半導体素子接続部と接着されると共に前記金属配線パターンと電気的に接続されており、
平面的に見て前記半導体素子と電気的に接続される前記金属配線パターンの周縁には前記タンタルの酸化物（ＴａＯｘ）を残し、かつ前記半導体素子接続部では、前記タンタルの酸化物（ＴａＯｘ）が除去されて前記基板の表面が露出していることを特徴とする液晶表示装置。
【請求項２】
金属配線パターンが形成される基板と、この基板および前記金属配線パターンの間に介在するタンタルの酸化物（ＴａＯｘ）と、前記金属配線パターンを介して液晶物質を駆動する半導体素子とを備えた液晶表示装置であって、
前記半導体素子はフレキシブル配線板に接続されてなり、
前記フレキシブル配線板の端子部は、異方性導電接着剤を介して前記基板の半導体素子接続部と接着されると共に前記金属配線パターンと電気的に接続されており、
平面的に見て前記フレキシブル配線板の端子部と電気的に接続される前記金属配線パターンの周縁には前記タンタルの酸化物（ＴａＯｘ）を残し、かつ前記半導体素子接続部では、前記タンタルの酸化物（ＴａＯｘ）が除去されて前記基板の表面が露出していることを特徴とする液晶表示装置。
【請求項３】
請求項１又は２に記載の液晶表示装置において、
前記金属配線パターンを構成する金属は、タンタル（Ｔａ）により構成されていることを特徴とする液晶表示装置。
【請求項４】
請求項１〜３のいずれかに記載の液晶表示装置と、この液晶表示装置が収納される筐体とを備えていることを特徴とする電子機器。
【発明の詳細な説明】
【０００１】
【発明の属する技術分野】
本発明は、液晶物質を電気的に制御する金属配線パターンが形成される基板と、この基板および前記金属配線パターンの間に介在する金属酸化膜と、前記金属配線パターンを介して前記液晶物質を駆動する半導体素子とを備えた液晶表示装置、およびそれを利用した電子機器に関する。
【０００２】
【背景技術】
従来より、携帯電話やパソコン等の電子機器では、液晶パネルを用いた液晶表示装置が利用され、液晶表示装置を用いれば、画像、文字等の表示部分を軽量、薄型化することができるので、電子機器の小型化、軽量化を図ることができる。このような液晶表示装置に用いられる液晶パネルは、所定の隙間を設けて対向配置される一対の透明なガラス基板と、このガラス基板に挟まれた間隙に密閉封入される液晶物質とを含んで構成される。
【０００３】
一対のガラス基板の相対向する面の少なくとも一方の面には、画素単位で液晶物質に電圧を印加して画面制御を行うために、金属配線パターンが形成される。例えば、ＴＦＴ（Ｔｈｉｎ  Ｆｉｌｍ  Ｔｒａｎｓｉｓｔｏｒ）型の液晶パネルであれば、金属配線パターンは、一方のガラス基板上に格子状に配置される走査線およびデータ線と、走査線およびデータ線により区画される画素単位に形成される薄膜トランジスタとを備え、この薄膜トランジスタをスイッチング素子として、液晶物質が電気的に制御される。
【０００４】
また、ＴＦＤ（Ｔｈｉｎ  Ｆｉｌｍ  Ｄｉｏｄｅ）型の液晶パネルであれば、金属配線パターンは、一方のガラス基板の対向面に複数本平行配置されるデータ線と、他方のガラス基板の対向面にデータ線と直交する方向に複数本平行配置される走査線と、データ線および走査線により区画される画素単位に形成されるダイオードとを備え、このダイオードをスイッチング素子として、液晶物質が電気的に制御される。
【０００５】
そして、これらＴＦＴ、ＴＦＤ型の液晶パネルの金属配線パターンは、タンタル（Ｔａ）等の金属により構成され、ガラス基板とこの金属配線パターンとの間には、金属酸化物の下地膜、タンタルであれば、タンタルの酸化膜（ＴａＯｘ）が介在し、両者の接着性を確保している。
【０００６】
一方、上述したＴＦＴ、ＴＦＤ型の液晶パネルの画面制御を行う場合、前記走査線、データ線のそれぞれに半導体素子となるドライバＩＣの端子を物理的かつ電気的に接続する必要がある。従って、液晶パネルには、少なくとも一方の基板の一部を他方の基板からはみ出させ、走査線またはデータ線を露出させた半導体素子接続部が設けられ、この半導体素子接続部でドライバＩＣの各端子と走査線、データ線とが接続される。ここで、走査線、データ線は、微細なピッチで多数配置されているので、その接続には、通常、異方性導電フィルム（ＡＣＦ）と呼ばれる接着剤が用いられる。このＡＣＦは、熱硬化性または熱可塑性の樹脂フィルムの中に導電性の粒子を分散配置したものであり、樹脂としては、例えば、エポキシ系のものが用いられる。そして、各走査線またはデータ線とドライバＩＣの端子とを接続する場合、当該部分を熱圧着等すると、エポキシ樹脂により接着すなわち物理的接続が達成されるとともに、走査線（データ線）およびドライバＩＣの端子の間に導電粒子が挟まれて、これらの電気的接続をも確保することができる。
【０００７】
【発明が解決しようとする課題】
しかしながら、金属配線パターンの下部に形成されるＴａＯｘ膜は、上述したＡＣＦを構成するエポキシ系等の樹脂に濡れにくく、液晶パネルとドライバＩＣとを強固に接着することが困難であるという問題がある。
【０００８】
このため、従来は、ＴａＯｘ膜の表面をＯ２プラズマ処理で活性化し、ＡＣＦによりドライバＩＣを接続する、という方法が採用されていた。
【０００９】
しかしながら、このようなＯ２プラズマ処理をすれば、両者を強固に接着することができるのだが、処理後、約２時間もすると、ＴａＯｘ膜の濡れ性が再び悪くなってしまう。従って、液晶表示装置の製造工程において、Ｏ２プラズマ処理後、
直ちにＡＣＦによる接着工程を行わなければならず、製造管理が複雑化するという問題がある。
【００１０】
本発明の目的は、製造管理容易であり、かつ半導体素子と液晶パネルとを強固に接着することのできる液晶表示装置およびそれを利用した電子機器を提供することにある。
【００１１】
【課題を解決するための手段】
前記目的を達成するために、本発明に係る液晶表示装置は、金属配線パターンが形成される基板と、この基板および前記金属配線パターンの間に介在するタンタルの酸化物（ＴａＯｘ）と、前記金属配線パターンを介して液晶物質を駆動する半導体素子とを備えた液晶表示装置であって、前記半導体素子は、異方性導電接着剤を介して前記基板の半導体素子接続部と接着されると共に前記金属配線パターンと電気的に接続されており、平面的に見て前記半導体素子と電気的に接続される前記金属配線パターンの周縁には前記タンタルの酸化物（ＴａＯｘ）を残し、かつ前記半導体素子接続部では、前記タンタルの酸化物（ＴａＯｘ）が除去されて前記基板の表面が露出していることを特徴とする。
また金属配線パターンが形成される基板と、この基板および前記金属配線パターンの間に介在するタンタルの酸化物（ＴａＯｘ）と、前記金属配線パターンを介して液晶物質を駆動する半導体素子とを備えた液晶表示装置であって、前記半導体素子はフレキシブル配線板に接続されてなり、前記フレキシブル配線板の端子部は、異方性導電接着剤を介して前記基板の半導体素子接続部と接着されると共に前記金属配線パターンと電気的に接続されており、平面的に見て前記フレキシブル配線板の端子部と電気的に接続される前記金属配線パターンの周縁には前記タンタルの酸化物（ＴａＯｘ）を残し、かつ前記半導体素子接続部では、前記タンタルの酸化物（ＴａＯｘ）が除去されて前記基板の表面が露出していることを特徴とする。
【００１２】
ここで、金属配線パターンを構成する金属としては、例えば、タンタル（Ｔａ）が考えられ、このタンタル層と透明基板との接着を確保する金属酸化膜としては、タンタルの酸化物（ＴａＯｘ）が考えられる。
【００１３】
また、液晶パネルを構成する基板と半導体素子とがＣＯＧ（Ｃｈｉｐ  Ｏｎ  Ｇｌａｓｓ）またはＣＯＰ（Ｃｈｉｐ  Ｏｎ  Ｐｌａｓｔｉｃ）により接続される場合、ＦＰＣ（Ｆｌｅｘｉｂｌｅ  Ｐｒｉｎｔｅｄ  Ｃｉｒｃｕｉｔ）を介して接続されている場合、いずれであっても、本発明を採用することができる。
【００１４】
このような本発明によれば、半導体素子接続部では金属酸化膜が除去されて基板表面が露出しているので、当該半導体素子接続部の接着剤に対する濡れ性は、基板の材質に依存することとなる。従って、金属酸化膜の性状によらず、液晶パネルを構成する基板と半導体素子とを強固に接着することができる。また、基板表面を露出させることにより、Ｏ２プラズマ処理等を行うことなく強固な接着を確保でき、液晶表示装置の製造管理の容易化が図られる。
【００１５】
以上において、上述した半導体素子が異方性導電接着剤、例えば、背景技術で説明したＡＣＦにより接続されている場合に本発明を採用するのが好ましい。
【００１６】
すなわち、背景技術で説明した問題は、異方性導電接着剤であるＡＣＦにより液晶パネルを構成する基板と半導体素子とを接続する場合に顕著であり、本発明を採用することの有用性は高い。
【００１７】
そして、本発明に係る電子機器は、上述した液晶表示装置と、この液晶表示装置が収納される筐体とを備えていることを特徴とするものであり、例えば、携帯電話、腕時計、ノートパソコン等である。
【００１８】
このような電子機器では、前記液晶表示装置を採用し、液晶パネルを構成する基板と半導体素子との強固な物理的かつ電気的接続が達成されるので、液晶表示装置を含む電子機器の不良品の発生率を低減できて製造コストを低減することができるうえ、液晶表示装置の製造工程を含む電子機器の製造工程を簡単化することができる。
【００１９】
【発明の実施の形態】
以下に、本発明の実施の一形態を図面に基づいて説明する。
【００２０】
図１には、第１実施形態に係るＴＦＤ型の液晶パネル１０の分解斜視図が示されている。
【００２１】
この液晶パネル１０は、所定の隙間を設けて対向配置される一対の透明なガラス基板１１、１２と、この一対のガラス基板１１、１２に挟まれた間隙に密閉封入される液晶物質１３と、前記一対のガラス基板１１、１２の外側に配置され、互いに偏光方向を直交させた偏光板１４、１５とを含んで構成される。
【００２２】
そして、バックライト等からの白色光Ｗは、図１中の下側の偏光板１４、ガラス基板１１を介して液晶物質１３内に進入し、当該液晶物質１３の配向状態に応じてねじ曲げられて、上側のガラス基板１２、偏光板１５を介して出射される。上側のガラス基板１２と対向する下側のガラス基板１１の対向面上には、液晶物質１３の配向状態を変化させるために、後述するＴＦＤ素子部３２を含む金属配線パターン３０が形成されている。
【００２３】
この金属配線パターン３０は、図２に示すように、ガラス基板１１上に複数本平行配置されるデータ線３１と、このデータ線３１からの信号に応じてスイッチ動作するＴＦＤ素子部３２と、このＴＦＤ素子部３２のスイッチ動作に応じて前記液晶物質１３に電圧を印加するＩＴＯ膜からなる画素電極３３とを含んで構成される。
【００２４】
ＴＦＤ素子部３２は、図３の断面詳細図に示すように、金属配線となるＴａ層３２１、このＴａ層３２１の上に形成されるＴａ２Ｏ５層３２２、このＴａ２Ｏ５層３２２の上に形成されるＣｒ層３２３からなる急峻な閾値特性を有する双方向ダイオードであり、Ｃｒ層３２３は、前記画素電極３３と電気的に接続されている。
【００２５】
そして、このＴＦＤ素子部３２のＴａ層３２１とガラス基板１１との間には、金属酸化膜となるＴａ２Ｏ５膜３４が介在し、このＴａ２Ｏ５膜３４により、Ｔａ層３２１とガラス基板１１との接着性が確保されている。
【００２６】
一方、下側のガラス基板１１と対向する上側のガラス基板１２の対向面上には、図１に示すように、ガラス基板１２上にＣｒをスパッタして形成される格子状のブラックマスク４１と、このブラックマスク４１により区画された画素単位に配置されるＲ、Ｇ、Ｂのカラーフィルタ４２と、これらブラックマスク４１、カラーフィルタ４２を覆うように配置され、下側のガラス基板１１上のデータ線３１と直交する方向に複数本平行配置されるＩＴＯ膜からなる走査線４３とを含んで構成される。
【００２７】
そして、上述した構造のガラス基板１１、１２は、金属配線パターン３０およびカラーフィルタ４２の面を互いに対向させ、所定の隙間を設けて配置され、その間隙に液晶物質１３をシール材により密閉封入することにより、液晶パネル１０は構成される。
【００２８】
このようなＴＦＤ型構造の液晶パネル１０には、図４に示すように、データ線３１、走査線４３に信号を出力し液晶物質１３を制御するために、半導体素子であるドライバＩＣ５０、８０が実装されて液晶表示装置６０が構成される。
【００２９】
液晶表示装置６０は、上述した液晶パネル１０と、液晶パネル１０の表示部分１０Ａ以外のガラス基板１１、１２の端部実装辺１１Ａ、１２Ａ上に直接実装されるドライバＩＣ５０、８０とを含んで構成される。これらのドライバＩＣ５０、８０は、前記端部実装辺１１Ａ、１２Ａのエッジ部分に形成される接続線５１、８１と接続され、この接続線５１、８１のエッジ部分でＦＰＣ５２と接続され、このＦＰＣ５２を介してドライバＩＣ５０、８０に制御信号を送ったり、電源を供給することができる。ドライバＩＣ５０、８０の各端子は、ガラス基板１１、１２上に形成される複数本のデータ線３１、走査線４３、接続線５１、８１のそれぞれと電気的に接続される。
【００３０】
すなわち、図５の平面図、図６の垂直断面図に示すように、ドライバＩＣ５０は、ガラス基板１１上の半導体素子接続部となる領域Ａ部分にＡＣＦ９１により物理的に接続され、ドライバＩＣ５０の下面に設けられる金バンプからなる端子５０１、５０２が、データ線３１および接続線５１の位置に対応配置されて電気的接続が達成される。
【００３１】
データ線３１は、図６に示すように、上述したＴＦＤ素子部３２と同様に、接着性を向上する下地Ｔａ２Ｏ５膜３４上に形成されるＴａ層３１１と、このＴａ層３１１を陽極酸化して形成されるＴａ２Ｏ５層３１２と、このＴａ２Ｏ５層３１２上にスパッタ法により形成されるＣｒ層３１３と、このＣｒ層３１３上に形成されるＩＴＯ層３１４とを含んで形成される。接続線５１も同様に、Ｔａ層５１１、Ｔａ２Ｏ５層５１２、Ｃｒ層５１３、ＩＴＯ層５１４とを備えている。尚、データ線３１、接続線５１をＴａ／Ｃｒの２層としたのは、データ線３１、接続線５１の低抵抗性を確保するためであり、ＩＴＯ層３１４、５１４を設けたのは、接触部分における電気的導通の安定性を確保するためである。
【００３２】
ＡＣＦ９１は、接着層および絶縁層として機能するエポキシ樹脂層９１１と、このエポキシ樹脂層９１１内に分散配置される導電粒子９１２とから構成される。尚、図６では図示を略したが、導電粒子９１２は、球状の樹脂粒子表面に金属メッキを施し、この金属メッキ層の表面をさらにアクリルスチレンからなる絶縁処理層で覆ったものである。
【００３３】
ここで、ドライバＩＣ５０が接着される領域Ａの部分では、下地膜となる
Ｔａ２Ｏ５膜３４が除去されて、ガラス基板１１の表面が露出し、ＡＣＦ９１のエポキシ樹脂層９１１が接触している。従って、ガラス基板１１とドライバＩＣ５０の物理的接続の強さは、主として、エポキシ樹脂層９１１のガラス基板１１に対する濡れ性によって決定される。
【００３４】
次に、このような液晶表示装置６０の製造方法について説明する。
【００３５】
(1)  ガラス基板１１の洗浄後、スパッタ法により金属酸化膜となるＴａ２Ｏ５膜３４をガラス基板１１の上に形成する。
【００３６】
(2)  さらに、スパッタ法により金属配線を構成するＴａ層３２１をこのＴａ２Ｏ５膜３４の上に形成する。
【００３７】
(3)  フォトリソグラフィ法により、ガラス基板１１上に金属配線パターン３０を構成するＴａ層３１１、３２１をフォトレジストで覆い、エッチングにより他の部分のＴａ層を除去する。尚、図４に示すように、この金属配線パターン３０の形成と同時に、端部実装辺１１Ａ上にＴａ層からなる位置決めマーク７１を形成する。この位置決めマーク７１は、ドライバＩＣ５０を端部実装辺１１Ａ上の半導体素子接続部Ａに対して高精度で位置合わせするものである。
【００３８】
(4)  陽極酸化法により、Ｔａ層３１１、３２１、５１１の表面にＴａ２Ｏ５層３２１、３２２、５１２を形成する。
【００３９】
(5)  上述した領域Ａ以外の部分にマスキング処理を行った後、エッチングにより領域Ａの部分のＴａ２Ｏ５膜３４を除去する。尚、この際、位置決めマーク７１の外周縁の境界を明瞭にするために、当該位置決めマーク７１の周縁近傍の
Ｔａ２Ｏ５膜３４も同時にエッチング除去する。
【００４０】
(6)  Ｔａ２Ｏ５層３１２、３２２、５１２上にＣｒ層３１３、３２３、５１３、ＩＴＯ層３３、３１４、５１４を順次形成する。尚、ガラス基板１２の製造工程では、ブラックマスク４１、カラーフィルタ４２の形成工程が付加されることとなるが、Ｔａ２Ｏ５膜３４の除去、位置決めマーク７１の形成についての工程は、大差ないので、その説明は省略する。
【００４１】
(7)  ガラス基板１１、１２を所定の隙間を設けて配置し、表示部分１０Ａを囲むように配置されるシール材（図示略）により、ガラス基板１１、１２を貼り合わせるとともに、表示部分１０Ａに液晶物質１３を注入して密閉封入して、液晶パネル１０が完成する。
【００４２】
(8)  液晶パネル１０の端部実装辺１１Ａの領域ＡにＡＣＦ９１を介してドライバＩＣ５０を貼り付け、熱圧着する。ガラス基板１１およびドライバＩＣ５０の位置合わせに際しては、前記位置決めマーク７１を利用して、走査線３１、データ線４３の配置に応じて精度よく実装する必要がある。尚、ガラス基板１２とドライバＩＣ８０との接続も同様である。
【００４３】
(9)  また、ＡＣＦ９１と同様の構成のＡＣＦ９２を用いて、接続線５１のエッジ部分にＦＰＣ５２を接続する。
【００４４】
このような液晶表示装置６０は、各種の電子機器の筐体に組み込まれ、情報、画像等の表示部分として利用され、例えば、図６に示す携帯電話４００の筐体４０１に組み込まれたり、図７に示すノートパソコン６００の筐体６０１に組み込まれる。
【００４５】
以上のような本実施形態によれば、次のような効果がある。
【００４６】
▲１▼  すなわち、端部実装辺１１Ａの半導体接続部となる領域ＡではＴａ２Ｏ５膜３４が除去されているので、当該領域ＡのＡＣＦ９１に対する濡れ性は、基板の材質に依存することとなる。従って、ＡＣＦ９１を構成するエポキシ樹脂層９１１が濡れやすいガラス基板１１、１２を採用することにより、ガラス基板１１、１２上にドライバＩＣ５０、８０を強固に接着することができる。
【００４７】
また、ガラス基板１１、１２の表面を露出させることにより、Ｏ２プラズマ処理等を行うことなく強固な接着を確保できる。
【００４８】
このことを確認するために、ガラス基板１１に対するＡＣＦ９１の濡れ性、
Ｔａ２Ｏ５膜３４に対するＡＣＦ９１の濡れ性を、純水を用いて接触角を測定することにより、評価したところ、図９のグラフに示されるような結果となった。
【００４９】
ここで、グラフＧ１はガラス基板１１の場合の接触角の変化、グラフＧ２は
Ｔａ２Ｏ５膜３４の場合の接触角の変化を表している。また、Ｏ２プラズマ処理は、
１ｔｏｒｒ、５００Ｗ、１０分の条件で行っている。尚、純水の濡れ性は、上述したＡＣＦ（ソニーケミカル社製ＣＰ８６２０）９１の濡れ性と相関性があり、純水の接触角が３５度よりも大きくなると、ＡＣＦ９１の接着性が極めて悪くなることが実験により確認されている。
【００５０】
従って、Ｏ２プラズマ処理を行っても、Ｔａ２Ｏ５膜３４の場合、図９のグラフＧ２に示されるように処理後約２時間経過すると、接触角が略３５度となり、ＡＣＦ９１の接着不良が生じる可能性が高くなる。
【００５１】
一方、ガラス基板１１の場合、図９のグラフＧ１に示されるように、無処理の状態であっても、接触角は３５度よりも小さく、ＡＣＦ９１の接着性が良好であることが判る。よって、ガラス基板１１を接着面とすれば、Ｏ２プラズマ処理を行うことなく強固な接着を確保することができ、Ｏ２プラズマ処理工程を省くことにより、液晶表示装置６０の製造工程の簡素化、製造管理の容易化を図ることができる。
【００５２】
▲２▼  さらに、上述したように、このような接着性に関する問題は、ＡＣＦ９１によりガラス基板１１およびドライバＩＣ５０を接続する場合に顕著であり、本発明を採用することの有用性は高い。
【００５３】
▲３▼  前述の液晶表示装置６０を採用した携帯電話４００、パソコン５００によれば、ガラス基板１１、１２とドライバＩＣ５０、８０の強固な物理的かつ電気的接続が達成されるので、液晶表示装置６０を含む電子機器４００、５００の不良品の発生率を低減することができ、電子機器４００、５００の製造コストを低減することができる。
【００５４】
尚、本発明は、前述の実施形態に限定されるものではなく、次に示すような変形をも含むものである。
【００５５】
すなわち、前述の実施形態では、液晶表示装置６０は、ガラス基板１１、１２上にドライバＩＣ５０、８０が直接実装されたＣＯＧ型の液晶表示装置であったが本発明はこれに限られない。例えば、図１０に示すように、液晶パネル１０を構成するガラス基板１１の端部実装辺１１ＡにＦＰＣ１５２を介してドライバＩＣ１５０が接続される液晶表示装置１６０であっても、本発明を利用することができ、前述の実施形態と同様の効果を享受することができる。
【００５６】
また、前述の実施形態では、液晶パネル１０は、ＴＦＤ型のものであったが、これに限られず、ＴＦＴ型の液晶パネル、ＳＴＮ型の液晶パネルに本発明を利用してもよい。
【００５７】
さらに、前述の実施形態では、金属配線パターン３０を構成する金属としてＴａ層３１１を採用し、Ｔａ層３１１とガラス基板１１との付着性向上のために、Ｔａ２Ｏ５膜３４を介在させていたが、それ以外の金属を配線材として採用する場合であっても、本発明を利用することができる。尚、この場合、ガラス基板および金属酸化膜のＡＣＦに対する濡れ性を考慮しながら、金属酸化膜を除去する部分を適宜決定すればよい。
【００５８】
その他、本発明の実施の際の具体的な構造および形状等は、本発明の目的を達成できる範囲で他の構造等としてもよい。
【００５９】
【発明の効果】
前述のように本発明の液晶表示装置によれば、半導体素子接続部で金属酸化膜が除去されて基板表面が露出しているので、金属酸化膜の性状によらず、液晶パネルを構成する基板と半導体素子とを強固に接着することができる。また、このような液晶表示装置を備えた電子機器によれば、基板と半導体素子とが強固な物理的接続が達成されているので、液晶表示装置を含む電子機器の不良品の発生率を低減することができる。
【図面の簡単な説明】
【図１】本発明の実施形態に係る液晶パネルの構造を表す分解斜視図である。
【図２】前記実施形態における金属配線パターンの構造を表す平面図である。
【図３】前記実施形態におけるＴＦＤ素子部の構造を表す断面図である。
【図４】前記実施形態における液晶パネルにドライバＩＣを実装した液晶表示装置を表す平面図である。
【図５】前記実施形態における半導体素子接続部の詳細を表す平面図である。
【図６】前記実施形態における半導体素子接続部の詳細を表す垂直断面図である。
【図７】前記実施形態の液晶パネルを含む液晶表示装置が用いられた携帯用電子機器を表す概略斜視図である。
【図８】前記実施形態の液晶パネルを含む液晶表示装置が用いられた他の携帯用電子機器を表す概略斜視図である。
【図９】前記実施形態の効果を説明するためのグラフである。
【図１０】前記実施形態の変形となる液晶表示装置を表す概略斜視図である。
【符号の説明】
１１、１２  基板
１３  液晶物質
３０  金属配線パターン
３４  金属酸化膜（Ｔａ２Ｏ５膜）
５０、１５０  半導体素子
６０、１６０  液晶表示装置
９１  異方性導電接着剤（ＡＣＦ）
４００、６００  電子機器
【図１】
0003760624.tif 000002
【図２】
0003760624.tif 000003
【図３】
0003760624.tif 000004
【図４】
0003760624.tif 000005
【図５】
0003760624.tif 000006
【図６】
0003760624.tif 000007
【図７】
0003760624.tif 000008
【図８】
0003760624.tif 000009
【図９】
0003760624.tif 000010
【図１０】
0003760624.tif 000011